(57)【要約】【課題】複数の風力発電設備のための制御センタの記憶されるセンサ値の改善された使用を可能にすること。【解決手段】本発明は、複数の風力発電設備（１００）からセンサデータ（１６）を図形で提示する方法に関する。この場合、装置（１２）のデータインターフェース（１０）は、まず、データインターフェース（１０）に接続された風力発電設備（１００）及び／又は風力発電パーク（１１２）からセンサデータ（１６）を受信するために用いられる。メモリ（１４）は、風力発電設備（１００）及び／又は風力発電パーク（１１２）から受信したセンサデータ（１６）を記憶するために用いられる。また、入力インターフェース（２０）は、少なくとも１つの現在時刻又は過去の１つの時刻を選択するために用いられる。さらに、表示インタフェース（１８）は、表示装置（２４）を用いて地理的地図（４０）及びセンサ値（１６）を提示する目的で信号を出力するために用いられる。この目的のために、選択された時刻の複数のセンサデータ又は全てのセンサデータ（１６）は、メモリ（１４）から呼出される。表示インタフェース（１８）は、表示装置を使用するために、表示信号を出力し、それぞれのセンサデータ（１６）を受信した風力発電設備（１００）の実質的な位置に、それぞれの場合に、地図（４０）とともに、呼出されたセンサ信号を提示する、ために用いられる。また、本発明は、その方法を実施するための装置、及び、該装置を有するシステムに関する。【選択図】図３
2019502219.tif 000002
【特許請求の範囲】
【請求項１】
複数の風力発電設備（１００）からのセンサデータ（１６）をグラフィカルに提示する方法であって、
装置（１２）のデータインタフェースを用いて、データインタフェース（１０）に接続された風力発電設備（１００）及び／又は風力発電パーク（１１２）からセンサデータ（１６）を受信するステップと、
メモリ（１４）を用いて、前記風力発電設備（１００）及び／又は前記風力発電パーク（１１２）から受信したセンサデータ（１６）を記憶するステップと、
入力インタフェース（２０）を介して接続された入力手段（２２）を用いて、少なくとも１つの現在時刻又は過去１つの時刻を選択するステップと、
表示装置（２４）を用いて地理的地図（４０）及びセンサ値（１６）を提示する目的で、表示インタフェース（１８）を用いて、表示信号を出力するテップと、
データ処理手段（２６）を用いて、前記メモリ（１４）から選択された時刻の複数のセンサデータ又は全てのセンサデータ（１６）を呼出し、
表示装置（２４）を用いるために、前記表示インタフェース（１８）を用いて、そのような表示信号を出力し、
それぞれの前記センサデータ（１６）を受信した（送信元の）前記風力発電設備（１００）の前記地理的位置に実質的に対応する前記地図（４０）の実質的な位置に、それぞれの場合に、前記地図（４０）と共に、呼出されたセンサ信号を提示するステップと、
を含む、
方法。
【請求項２】
前記入力手段（２２）を用いて、期間及び／又は時間増分幅を選択し、
前記表示インタフェース（１８）を用いて、前記表示装置（２４）を用いるために、そのような表示信号を出力し、選択された期間の間、前記地図（４０）を有するセンサデータを継続的にステップ的に提示し、
２つの提示ステップの間の期間は、選択された前記時間増分幅に対応する、
請求項１記載の方法。
【請求項３】
前記入力手段（２２）を用いて、リピート機能を選択し、
前記表示インタフェース（１８）を用いて、前記表示装置（２４）を用いるために、そのような表示信号を出力し、選択された前記期間の前記センサデータを繰り返しステップ的に提示する、
請求項２に記載の方法。
【請求項４】
前記入力手段（２２）を用いて、前記期間の終了時刻として、現在時刻、又は、時刻なし、を選択する場合、選択された期間の提示終了に達したときに、前記表示インタフェース（１８）を、前記地図（４０）に表示するための現在のセンサデータを自動的に出力する、
請求項２又は３に記載の方法。
【請求項５】
前記入力手段（２２）を用いて、前記表示装置（２４）を用いて提示される地図のセクションを変更する、
請求項１〜４のいずれか一に記載の方法。
【請求項６】
天気予報データ（２８）、特に、風向及び風力のデータ源に接続するためのインタフェース（３０）を用いて、天気予報データを受信し、
前記入力手段（２２）を用いて、将来時刻又は期間を選択し、
選択された将来時刻又は期間の将来センサデータは、前記天気予報データ及び記憶されたセンサデータに基づいて予測されて、前記表示インタフェース（１８）を介して、前記表示装置（２４）に地図と共に提示するため出力される、
請求項１〜５のいずれか一に記載の方法。
【請求項７】
前記表示インタフェース（１８）を用いて、現在時刻の前、現在時刻の後、又は、前記表示装置に提示されている現在時刻であるセンサデータに異なる色を割り当てるために、そのような表示信号を出力する、
請求項１〜６のいずれか一に記載の方法。
【請求項８】
前記データ処理手段（２６）を用いて、さらなる値、特に電力、風速及び／又は前記地図セクション内で分配される電力の平均値を、前記選択された時刻又は期間の複数のセンサデータから決定し、前記表示インタフェース（１８）を用いて、前記センサ値とともに前記表示装置（２４）に表示するために、同じ時刻のセンサ値とともに前記さらなる値を出力する、
請求項１〜７のいずれか一に記載の方法。
【請求項９】
複数の風力発電設備（１００）からセンサデータ（１６）をグラフィカルに提示するための、特に、請求項１乃至８のいずれか一に記載の方法を実施するための装置であって、
データ接続によって複数の風力発電設備（１００）及び／又は風力発電パーク（１１２）に接続し、接続された前記風力発電設備（１００）及び／又は風力発電パーク（１１２）からセンサデータ（１６）を受信するためのデータインタフェース（１０）と、
前記風力発電設備（１００）及び／又は風力発電パーク（１１２）から受信した前記センサデータ（１６）を記憶するためのメモリ（１４）と、
表示装置（２４）を用いて地理的地図及びセンサ値を提示するための表示信号を出力するための表示インタフェース（１８）と、
少なくとも１つの現在時刻又は過去の１つの時刻を選択するための入力手段（２２）からの入力信号を受信するための入力インタフェース（２０）と、
データ処理手段（２６）と、
を有し、
前記データ処理手段（２６）は、
選択された時刻の複数の又は全てのセンサデータを前記メモリ（１４）から呼出し、表示インタフェース（１８）を用いてそのような表示信号を出力し、
表示装置（２４）を用いて、それぞれの前記センサデータ（１６）を受信した前記風力発電設備（１００）の前記地理的位置に実質的に対応する前記地図（４０）内の実質的な位置に、それぞれの場合に、前記地図（４０）と共に、呼出されたセンサ信号を提示するように構成される、
装置。
【請求項１０】
前記入力インタフェース（２０）により、期間及び／又は時間増分幅を選択可能であり、
前記表示インタフェース（１８）は、前記表示装置（２４）に、そのような表示信号を出力可能であり、選択された期間の間、前記地図（４０）を有するセンサデータを順次にステップ的に提示する、ために用いられ、
２つの提示ステップの間の期間は、選択された前記時間増分幅に対応する、
請求項９記載の装置。
【請求項１１】
前記入力インタフェース（２０）を介して、選択された前記期間の前記センサデータを繰り返し提示するためのリピート機能を選択可能であり、
及び／又は、
前記入力インタフェース（２０）を介して、前記表示インタフェース（１８）からの前記表示信号の制御の下、前記表示装置を用いて提示される地図のセクションが変化可能である、
請求項９又は１０に記載の装置。
【請求項１２】
前記装置は、天気予報データ、特に、風向及び風力のデータ源に接続し、前記天気予報データを受信するためのインタフェースを備え、
前記入力インタフェース（２０）を介して、将来時刻又は期間を選択可能であり、
前記データ処理手段（２６）は、前記天気予報データ及び記憶されたセンサデータに基づいて、選択された将来時刻又は期間の将来センサデータを予測し、前記表示インタフェース（１８）を介して、表示装置（２４）に提示するため、地図と共に、表示信号として出力するように構成される、
請求項９乃至１１のいずれか一に記載の装置。
【請求項１３】
前記データ処理手段は、前記表示装置（２４）に異なる色を用いて、提示されたセンサデータ（１６）が、現在時刻の前であるか、現在時刻の後にあるか、又は現在時刻にあるセンサデータであるかどうかをマークするような方法で、前記表示装置（２４）を制御するために、前記表示インタフェース（１８）を用いて、そのような表示信号を出力するように構成される、
請求項９乃至１２のいずれか一に記載の装置。
【請求項１４】
前記データ処理手段（２６）は、選択された前記時刻の複数のセンサ値から、さらなる値、特に、電力、風速、及び／又は、前記地図セクションに分布された電力の平均値を決定し、前記表示装置（２４）に提示するために、前記表示インタフェース（１８）を用いて、選択された前記時刻又は期間の前記センサデータの前記信号とともに、前記さらなる値を出力するように構成される、
請求項９乃至１３のいずれか一に記載の装置。
【請求項１５】
複数の風力発電設備（１００）、及び／又は、風力発電パーク（１１２）、及び、請求項９〜１４のいずれか一に記載の装置（１２）を有するシステムであって、
前記装置（１２）は、データインタフェース（１０）によって、データ接続を介して風力発電設備（１００）に接続される、
システム。
【発明の詳細な説明】
【技術分野】
【０００１】
本発明は、風力発電設備のセンサを用いて取得されるセンサデータの提示に関する。
【背景技術】
【０００２】
従来技術によれば、いずれの風力発電設備は、測定値に基づいて、操作パラメータ及び／又は環境条件を記録するために、複数の異なるセンサを有する。この目的のために現在測定され、かつ、センサ信号の形式である値は、例えば、現在時刻の風力発電設備を制御及び／又は調整するために用いられる。さらに、しかし、故障の際に標準値とは異なるセンサ値を検出し、故障位置を特定することができるようにするため、例えば、メンテナンスサービス又は風力発電設備のオペレータのためのセンサデータも提供される。
【０００３】
また、オペレータは、例えば、特定の期間に生成された電力を後で確認できるようにするため、１つ又は複数の風力発電設備からの過去のセンサ値にアクセスすることも多い。
【０００４】
本出願の優先権の基礎出願において、ドイツ特許商標庁は以下の従来技術を調査した：ＥＰ１３４０３０３Ｂ１及びＷＯ２００９／０４６０９５Ａ１。
【先行技術文献】
【特許文献】
【０００５】
【特許文献１】ＥＰ１３４０３０３Ｂ１
【特許文献２】ＷＯ２００９／０４６０９５Ａ１
【発明の概要】
【発明が解決しようとする課題】
【０００６】
良好な記憶技術に基づいて、センサ値の広範囲の集まりは、過去の長期間にわたって各風力発電設備に記憶され、実質的に使用されないままである。
【０００７】
したがって、本発明の課題は、複数の風力発電設備において又は複数の風力発電設備のための制御センタの制御室のいずれの場合においても記憶されるセンサ値の改善された使用を可能にすることである。
【０００８】
この場合、現在又は過去の操作状態の知識だけでなくより多くの情報を個々の風力発電設備に提供するようにセンサデータを前処理することが課題となる。
【課題を解決するための手段】
【０００９】
したがって、複数の風力発電設備からのセンサデータをグラフィカルに提示するための装置及び方法が提供される。
【発明を実施するための形態】
【００１０】
この場合、前記方法は、データインタフェースを用いて、センサ値を含むセンサデータを受信するステップを含み、複数の風力発電設備及び／又は風力発電パーク（Windparks）は、データインタフェースに接続される。
【００１１】
また、前記方法は、メモリ（記憶装置）を用いて、風力発電設備及び／又は風力発電パークからの受信したセンサデータを記憶するステップを含む。また、前記方法は、入力インタフェースに接続され、かつ、当該入力インタフェースに入力信号を提供する入力手段を用いて、少なくとも１つの現在時刻又は過去の１つの時刻を選択するステップを含む。また、前記方法は、表示装置を用いて地理的地図及びセンサ値を表示する目的で、表示インタフェースを用いて表示信号を出力するステップを含む。
【００１２】
また、データ処理手段を用いて、メモリから選択された時刻の複数のセンサデータ又は全てのセンサデータを呼出（検索）し、表示インタフェースを介し、表示装置を用いて表示するために、表示信号としてそれらを出力し、それぞれのセンサデータを受信した風力発電設備の地理的位置に対応する地図の実質的な位置に、それぞれの場合に、地図と共に、呼出（検索）されたセンサ信号を提示する。したがって、表示信号は、表示インタフェースを介して出力され、かつ、この目的のためにデータ処理手段によって予め生成される。
【００１３】
したがって、装置のデータインタフェースを介して供給される、風力発電設備又は風力発電パークからのセンサデータ又はセンサ値は、本装置のメモリに記憶される。例えば、ユーザが入力手段を用いて、時刻を選択し、表示インタフェースを介して出力される表示信号によって表示装置に、特に、シンボル（記号、符号）の形態でセンサ信号の地理的地図及びセンサ値を表示する。
【００１４】
したがって、入力手段を用いて選択された時刻での複数のセンサデータ又は全てのセンサデータを表示装置を用いて提示するため、装置を用いて表示信号を生成する。この場合、これらのセンサ信号は、センサデータが受信された風力発電設備の地理的位置、すなわち、実際の位置に実質的に対応する地図のその位置で、それぞれの場合に地図に提示される。
【００１５】
したがって、表示装置が表示インタフェースに接続されている場合、表示装置に地図が提示（表示）され、選択された時刻のセンサデータ、例えば、そこに含まれるセンサ値が、風力発電設備が実際に設置されている位置で、地図の内側にそれぞれ提示される。
【００１６】
例えば、風力発電設備は、ある地域の最北端、例えば、ドイツ最北端に設置されており、装置にセンサ信号の形態でセンサ値を送信する。センサデータとも呼ばれることができる、これらのセンサ信号は、本装置、すなわち、本装置のメモリに連続的ないし継続的に記憶される。これらのセンサデータは、例えば、風力発電設備の（配置）領域における風速計によって測定される風速の値を含む。
【００１７】
この例によれば、今、入力手段を用いて、ある時刻、例えば、２０１４年１２月１日１２時００分が選択され、この選択された時刻の風速のセンサデータは、メモリからロードされ、かつ、表示インタフェースに接続された表示装置に、地図として提示された地域の最北端のドイツの地図に提示（表示）される。
【００１８】
今、多数の風力発電設備がセンサデータを提供する場合、選択された時刻のセンサデータは、センサデータをそれぞれ受信した（送信元ないしデータ源の）風力発電設備が配置された位置に対応するそれぞれのドイツの地図の異なる位置に提示される。
【００１９】
したがって、異なる時刻及び異なるセンサデータを、概略的に同時に提示することができ、結果として、例えば、ドイツ全域にわたる、より広い地域にわたり迅速で概略的な風速分布を、非常に明確に提示することができる。これらのセンサデータ又はセンサ値が任意の所望の時刻に提示されることは、特に有利である。
【００２０】
したがって、例えば、風力発電設備（複数）の適切な場所又は地域に関する定性的状態を検証することができる。特に、局所的な気象現象を、センサ値が他の周辺領域の値と大きく異なる領域（複数）を介して検出することができ、かつ、光学的に簡単に検出することができる。ある気象現象が発生する時刻は、様々な興味のある時刻を選択することによって検出することもできる。
【００２１】
また、一形態によれば、入力手段を用いて、時刻だけでなく複数の連続した時刻を有する期間も選択される。この場合、期間は、例えば、開始時刻及び終了時刻を含む。
【００２２】
時間増分幅（タイムステップ間隔）、例えば、１０分、１時刻、２４時刻、１週間、１ヶ月又は１年も選択される。時間増分幅が予め定義されていない場合、装置は自動的に標準時間増分幅を予め定義するが、変更することができる。さらに、表示インタフェースは、選択された期間中にセンサデータを、地図と共に、表示装置を用いて順次かつ段階的（ステップ的）に提示するために用いられる表示信号を出力するために用いられ、ステップの間の期間は、選択された時間増分幅に対応する。
【００２３】
したがって、センサデータは、このように、期間及び時間増分幅を選択することによって、期間の経過とともにステップ的に提示される。地図の地域又は領域にわたって移動する風の地域を、例えば、この時間経過プレゼンテーションによって追跡することができる。したがって、例えば、任意の所望の方向からある領域を標的とした後に、嵐の前面を追跡することができ、領域内の分布を観察することができる。
【００２４】
さらに、他の風力発電設備で発生する異なる風向又はシナリオに対するシャドーイング効果は、異なる風の状況の風力発電パークにおける個々の風力発電設備によって追跡把握（nachvollzogen）することができる。これは、例えば、さらなる風力発電パークを計画又は実施する際に、以前に理解されていた負の影響を低減又は防止するために用いることができる。
【００２５】
別の形態によれば、入力手段を用いて、リピート機能を選択し、選択された期間のセンサデータを、選択された時間増分幅と共に、ステップ的に繰り返して、すなわちループして、それぞれ提示する。
【００２６】
したがって、ユーザは、選択された期間のセンサデータの変化を何度も追跡確認することができ、それゆえ新たな相互作用なしに各経路で提示された領域、又は、地図の異なる地域を光学的に評価することができるので、ユーザは、センサデータの多数の項目を表示装置で評価することが簡単である。
【００２７】
別の形態によれば、入力手段を用いて、その期間の終了時刻として、現在時刻、又は、時刻なし、を選択し、かつ、センサデータをステップに表示することが望ましい場合、表示インタフェースを介して、選択した期間の提示終了時に現在のセンサデータを出力する。
【００２８】
したがって、現在のセンサ値は、過去のセンサ値、すなわち提示終了時にステップ的に提示する最終ステップの後に自動的に提示され、その結果、現在のセンサデータに対する現在の概要が直ちに再び有効にされる。この場合、現在のセンサデータは、例えば、現在時刻に風力発電設備から最後に受信されたセンサデータである。
【００２９】
一形態によれば、入力手段を用いて、提示される地図のセクションを変更する。したがって、例えば、ドイツのような全国は、例えば、リピート機能が実行されている間に、センサデータを第１の概要で時間経過（タイムラプス）表示して提示することができ、この場合、地図の地域は、入力インタフェースを介して入力信号を入力することによって、特に興味のある地域を拡大することができる。
【００３０】
別の形態によれば、インタフェースを用いて、天気予報ステーション、又は、天気予報データの供給源からの天気予報データ、例えば、異なる地域の予測された風向及び風力を受信し、入力手段を用いて、将来の時刻又は期間を選択する。
【００３１】
そして、装置のデータ処理手段を用いて、予測、及び、以前に記憶されたセンサデータに基づいて、選択された時刻又は期間の将来のセンサデータを予測し、将来における選択された時刻又は期間のこれらの将来の予測センサデータを、地図に提示する。
【００３２】
したがって、異なる風力発電設備の概要的利用（ないし負荷  Auslastung）、及び、ネットワークの関連利用（ないし負荷）を、例えば、将来における時刻又は期間について提示することができる。
【００３３】
また、表示インタフェースを用いて出力された信号は、提示されたセンサデータが現在時刻の前、現在時刻の後、又は、現在時刻のセンサデータであるかどうかをマークするために、表示インタフェースに接続された表示装置が異なる色を用いるように、データ処理手段によって適合される。
【００３４】
したがって、提示されたセンサデータが履歴（過去）センサデータ、予測センサデータ、又は、現在取得されたセンサデータであるかどうかを迅速に光学的に知覚することができる。
【００３５】
別の形態によれば、データ処理手段を用いて、センサ値の時刻に関し、センサデータ、特に、電力、風速、及び／又は、地図セクションに分配される電力の平均値（複数）から、さらなる値又は情報を決定する。したがって、さらなる値は同様に（ある任意の）時刻に割り当てられる。さらに、表示装置を用いてセンサ値に加えて選択された時刻又は期間のさらなる値も表示するために、さらなる値は、表示インタフェースを介して表示装置に出力される。
【００３６】
また、本発明は、複数の風力発電設備からのセンサデータをグラフィカルに提示するための装置、特に、上述の方法の形態の１つによる方法を実施するための装置に関する。
【００３７】
前記装置は、接続された風力発電設備及び／又は風力発電パークからセンサデータを受信するために、データ接続によって複数の風力発電設備及び／又は風力発電パークに接続するためのデータインタフェースを備える。また、前記装置は、風力発電設備及び／又は風力発電パークから受信したセンサデータを記憶するためのメモリと、地理的地図及びセンサ値を表示するための表示装置用の表示信号を出力するための表示インタフェースと、を備える。
【００３８】
また、前記装置は、少なくとも１つの現在時刻、又は、過去の１つの時刻を選択するために用いられる入力手段を接続するための入力インタフェースを備える。また、選択された時刻の複数のセンサデータ又は全てのセンサデータをメモリから呼出（検索）し、表示装置を制御するために表示インタフェースを用いて表示信号を出力するように設定されたデータ処理手段も提供され、それによって、表示装置を用いて、各センサデータが受信された（送信元の）風力発電設備の地図の実質的な位置に、それぞれの場合に、地図と共に、呼出（検索）されたセンサ信号を提示するように構成（ないし設定）されたデータ処理手段を備える。
【００３９】
したがって、前記装置は、データインタフェース、メモリ（記憶装置）、表示インタフェース、入力インタフェース、及びデータ処理手段を備える。入力インタフェースは、遠隔地に配置されうる入力手段を接続するために用いられる。入力インタフェースと入力手段との間の接続は、例えば、インターネット接続によって行うことができる。
【００４０】
表示装置は、遠隔地に配置することもでき、データ接続を介して表示インタフェースに接続することができ、その結果、データ接続、例えば、インターネットによって表示インタフェースと表示装置との間で、データ接続を行うことができる。しかしながら、その代わりに、同じ位置（場所）、すなわち中央（センタ）に、本装置と共に、表示装置及び入力手段を配置することもできる。
【００４１】
したがって、インターネット又は別のデータネットワークを介して装置に遠隔からアクセスすることもできる。装置は、この目的のために、例えば、制御室又は制御センタの一部であってもよい。
【００４２】
一形態によれば、入力インタフェース、特に、入力インタフェースに接続された入力手段を用いて、表示インタフェースを用いて表示装置を制御するための制御信号を出力するために、周期及び／又は時間増分幅を選択することができる。この形態によれば、制御信号は、表示装置を用いて、選択された期間にわたってセンサデータを、地図と共に、順次ステップ的に提示するように設定され、２つの提示ステップ間の期間は、選択された時刻増分の幅に対応する。
【００４３】
したがって、センサデータの変化の時刻経過表現は、選択された期間に可能である。別の形態によれば、時間増分幅は、入力インタフェースを用いて、特に、入力手段を用いて、変更することができる所定の値に設定される。
【００４４】
別の形態によれば、入力インタフェース、特に、入力手段を用いて、ループ内の選択された期間のセンサデータを繰り返し提示するためにリピート機能を選択することができる。ループの提示は、ユーザによる光学的評価を簡単にする。
【００４５】
別の形態によれば、入力インタフェース、特に、入力手段を用いて、期間の終了時刻として、現在時刻、又は、時刻なしを選択する場合、現在のセンサデータは、期間を提示するための表示信号の出力の終了時に、地図に自動的に提示される。
【００４６】
別の形態によれば、入力インタフェースは、特に、入力手段を用いて、表示装置を用いて提示することができる地図のセクションを変更する、すなわち前記セクションを拡大又は縮小する、又は、領域又は地域に変更する、ように設定される。
【００４７】
別の形態によれば、前記装置は、天気予報データ、特に、風向及び風力のデータ（供給）源に接続し、天気予報データを受信するためのインタフェースを備え、入力インタフェース、特に、入力手段は、将来時刻又は期間を選択するために用いられ、データ処理手段は、表示装置に地図と共に予測センサデータを提示するために、天気予報データ、及び、記憶されたセンサデータの値に基づいて将来のセンサデータを予測し、かつ、表示インタフェースを用いて表示信号を出力するように構成（設定）される。
【００４８】
別の形態によれば、データ処理手段は、表示装置を用いて、例えば、提示されたセンサデータが現在時刻の前、現在時刻の後、又は現在時刻のセンサデータであるかどうかを、異なる色によって光学的にマークするように設定される。
【００４９】
データ処理手段の別の形態によれば、データ処理手段は、表示インタフェースを用いて、表示装置を制御するための表示信号を出力し、かつ、表示装置を用いて、同じ時刻のセンサデータと共に、さらなる値を出力するために、選択された時刻の複数のセンサ値から、さらなる値、特に、電力、風速、及び／又は、地図セクションに分布される電力、の平均値を決定するように構成（設定）される。
【００５０】
また、本発明は、複数の風力発電設備及び／又は風力発電パークを有するシステムと、上述の形態の１つ、特に、上述の方法の形態の１つを実施するための装置と、を備える。
【００５１】
さらなる実施形態は、図面でより詳細に説明される例示的な実施形態（実施例）に基づいている。
【図面の簡単な説明】
【００５２】
【図１】一風力発電設備を示す図である。
【図２】一風力発電パークを示す図である。
【図３】本発明に係る一装置を示す図である。
【図４】センサデータを含む一地図を示す図である。
【実施例】
【００５３】
図１は、本発明に係る一風力発電設備の概略図を示す。風力発電設備１００は、タワー１０２と、当該タワー１０２上のナセル１０４を有する。３つのロータブレード１０８及びスピナ１１０を有する空力ロータ１０６は、ナセル１０４に設けられている。
【００５４】
空力ロータ１０６は、風力発電設備の操作中に風によって回転運動を行うようにされ、したがって、空力ロータ１０６に直接的又は間接的に結合された発電機のロータも回転させる。発電機は、ナセル１０４内に配置され、かつ、電気エネルギを生成する。ロータブレード１０８のピッチ角は、それぞれのロータブレード１０８のロータブレード根元部１０８ｂのピッチモータによって変更することができる。
【００５５】
図２は、一例として、３つの風力発電設備１００を有する風力発電パーク１１２を示している。風力発電設備１００は同一でも異なっていてもよい。したがって、３つの風力発電設備１００は、風力発電パーク（風力発電所とも表示できる）１１２における基本的に任意の所望の数の風力発電設備を表す。
【００５６】
風力発電設備１００は、その電力、すなわち、特に、発電された電流を、電気的パークネットワーク１１４を介して提供する。この場合、一般にＰＣＣとも呼ばれる給電ポイント（フィードインポイント；Einspeisepunkt）１１８の供給ネットワーク１２０にそれを供給するために、個々の風力発電設備１００によってそれぞれ生成された電流又は電力が加えられ、変圧器１１６が通常設けられ、変圧器１１６は、パークの電圧を昇圧する。
【００５７】
図２は、例えば、たとえコントローラが当然に存在していても、コントローラを全く示さない風力発電パーク１１２の簡略図である。パークネットワーク１１４は、他の１つの例示的な形態を単に挙げるため、例えば、各風力発電設備１００の出力にも変圧器が存在する点において異なって構成されてもよい。
【００５８】
図３は、データインタフェース１０を介して装置１２に接続された多数の風力発電パーク１１２を表す２つの風力発電パーク１１２を示す。装置１２は、データインタフェース１０を介して受信されるセンサデータ１６を記憶するためのメモリ１４を有する。また、装置は、表示インタフェース１８及び入力インタフェース２０を備える。入力インタフェース２０は、入力装置２２を直接的又は間接的に接続するために用いられる。入力装置２２は、ここでは、コンピュータのマウス及びキーボードに対応する。この場合、入力装置２２は、コンピュータ２３を介して入力インタフェース２０に間接的に接続されている。
【００５９】
表示インタフェース１８に直接的又は間接的に接続された表示装置２４も示す。この場合、表示装置２４は、コンピュータ２３を介して表示インタフェース１８に間接的に接続される。コンピュータ２３を用いての、表示装置２４と表示インタフェース１８との間、及び、入力手段２２と入力インタフェース２０との間の接続は、例えば、インターネット接続２５を介して行うことができ、その結果、遠隔地に配置された表示装置２４、及び、入力装置２２を有する装置１２に遠隔照会することができる。
【００６０】
入力装置２２を用いて、センサデータ１６、すなわち、特に、それらのセンサ値又は値が表示装置２４の地図と共に提示される、時刻及び期間を選択することができる。この目的のために、装置は、入力装置２２を用いた入力に応じて、記憶されたセンサデータ１６をメモリ１４からロードし、かつ、表示インタフェース１８を介して、表示信号の形態で、地図と共に、前記データを出力する、データ処理手段２６を有する。
【００６１】
表示信号は、データ処理手段２６によって、選択された時刻又は期間のセンサデータが表示装置２４の地図に提示されるように表示装置２４を制御するように、生成される。
【００６２】
また、装置１２は、装置１２のインタフェース３０を介して天気予報ステーション２８に接続されている。天気予報ステーション２８は、インタフェース３０を介して天気予報データを提供し、その結果、センサデータ１６に基づいて予測されたセンサデータ、及び、天気予報ステーション２８から受信された天気予報データを、将来の時刻又は期間にデータ処理手段２６によって予測することができ、かつ、表示装置２４を用いて地図に一緒に提示することができる。
【００６３】
図４は、１つの例示的な形態に係る表示装置２４を用いて提示された地図４０の一セクションを示す。地図４０は、ここでは、ドイツの地図であり、この場合、（複数の）風力発電設備１００からのセンサデータは、異なる地域又は領域４２ａ、４２ｂ、４２ｃに提示される。
【００６４】
地図は、ここでは入力手段２０を用いて入力された時刻のために示されている。地域４２ａ〜４２ｃに示される個々のカラム又はシンボル４４は、選択された時刻に提示されたセンサデータ１６の風速測定値を表す。カラム４４が高いほど、ここに示された選択された時刻のこの位置における風速が高くなる。
【００６５】
例えば、北海沿岸領域の地域にある地域４２ａのカラムは、南東のアルプス領域に位置するカラム４２ｃよりも高い。他のカラム４４は、他の値を有する。
【００６６】
各カラムは、表示装置２４の地図４０に提示された実質的な位置に実際に配置される１つ以上の風力発電設備を表す。
【００６７】
この例示的な形態では、実際に存在し、かつ、装置１２に接続された風力発電設備１００のいくつかのみが、入力手段２０を用いた選択によって表示装置２４に提示される。この場合、例えば、経過時刻関数、すなわち過去の期間の段階的（ステップ的）な提示における、測定された風速の変化を示すために、風力発電設備、又は、特定の領域を表すそれらのセンサデータ、のみが選択される。
【００６８】
カラム４４の形態、又は、他のシンボルの形態でのセンサデータを有する地図４０の提示のおかげで、ユーザは、例えば、国又は領域の一方の側に関連し、そして、その国の内部に分配された、風（ウィンドフロント）の進行の迅速な光学的な概観を得ることができる。ユーザは、例えば、将来の気象現象への影響のため、ここからさらに結論を引き出すことができる。
【図１】
2019502219.tif 000003
【図２】
2019502219.tif 000004
【図３】
2019502219.tif 000005
【図４】
2019502219.tif 000006
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
複数の風力発電設備（１００）からのセンサデータ（１６）をグラフィカルに提示する方法であって、
装置（１２）のデータインタフェースを用いて、データインタフェース（１０）に接続された風力発電設備（１００）及び／又は風力発電パーク（１１２）からセンサデータ（１６）を受信するステップと、
メモリ（１４）を用いて、前記風力発電設備（１００）及び／又は前記風力発電パーク（１１２）から受信したセンサデータ（１６）を記憶するステップと、
入力インタフェース（２０）を介して接続された入力手段（２２）を用いて、少なくとも１つの現在時刻又は過去１つの時刻を選択するステップと、
表示装置（２４）を用いて地理的地図（４０）及びセンサ値（１６）を提示する目的で、表示インタフェース（１８）を用いて、表示信号を出力するテップと、
データ処理手段（２６）を用いて、前記メモリ（１４）から選択された時刻の複数のセンサデータ又は全てのセンサデータ（１６）を呼出し、
表示装置（２４）を用いるために、前記表示インタフェース（１８）を用いて、そのような表示信号を出力し、
それぞれの前記センサデータ（１６）を受信した（送信元の）前記風力発電設備（１００）の前記地理的位置に実質的に対応する前記地図（４０）の実質的な位置に、それぞれの場合に、前記地図（４０）と共に、呼出されたセンサ信号を提示するステップと、
を含む、
方法。
【請求項２】
前記入力手段（２２）を用いて、期間及び／又は時間増分幅を選択し、
前記表示インタフェース（１８）を用いて、前記表示装置（２４）を用いるために、そのような表示信号を出力し、選択された期間の間、前記地図（４０）を有するセンサデータを継続的にステップ的に提示し、
２つの提示ステップの間の期間は、選択された前記時間増分幅に対応する、
請求項１記載の方法。
【請求項３】
前記入力手段（２２）を用いて、リピート機能を選択し、
前記表示インタフェース（１８）を用いて、前記表示装置（２４）を用いるために、そのような表示信号を出力し、選択された前記期間の前記センサデータを繰り返しステップ的に提示する、
請求項２に記載の方法。
【請求項４】
前記入力手段（２２）を用いて、前記期間の終了時刻として、現在時刻、又は、時刻なし、を選択する場合、選択された期間の提示終了に達したときに、前記表示インタフェース（１８）を、前記地図（４０）に表示するための現在のセンサデータを自動的に出力する、
請求項２又は３に記載の方法。
【請求項５】
前記入力手段（２２）を用いて、前記表示装置（２４）を用いて提示される地図のセクションを変更する、
請求項１〜４のいずれか一に記載の方法。
【請求項６】
天気予報データ（２８）、特に、風向及び風力のデータ源に接続するためのインタフェース（３０）を用いて、天気予報データを受信し、
前記入力手段（２２）を用いて、将来時刻又は期間を選択し、
選択された将来時刻又は期間の将来センサデータは、前記天気予報データ及び記憶されたセンサデータに基づいて予測されて、前記表示インタフェース（１８）を介して、前記表示装置（２４）に地図と共に提示するため出力される、
請求項１〜５のいずれか一に記載の方法。
【請求項７】
前記表示インタフェース（１８）を用いて、現在時刻の前、現在時刻の後、又は、前記表示装置に提示されている現在時刻であるセンサデータに異なる色を割り当てるために、そのような表示信号を出力する、
請求項１〜６のいずれか一に記載の方法。
【請求項８】
前記データ処理手段（２６）を用いて、さらなる値を、前記選択された時刻又は期間の複数のセンサデータから決定し、前記表示インタフェース（１８）を用いて、前記センサ値とともに前記表示装置（２４）に表示するために、同じ時刻のセンサ値とともに前記さらなる値を出力する、
請求項１〜７のいずれか一に記載の方法。
【請求項９】
複数の風力発電設備（１００）からセンサデータ（１６）をグラフィカルに提示するための装置であって、
データ接続によって複数の風力発電設備（１００）及び／又は風力発電パーク（１１２）に接続し、接続された前記風力発電設備（１００）及び／又は風力発電パーク（１１２）からセンサデータ（１６）を受信するためのデータインタフェース（１０）と、
前記風力発電設備（１００）及び／又は風力発電パーク（１１２）から受信した前記センサデータ（１６）を記憶するためのメモリ（１４）と、
表示装置（２４）を用いて地理的地図及びセンサ値を提示するための表示信号を出力するための表示インタフェース（１８）と、
少なくとも１つの現在時刻又は過去の１つの時刻を選択するための入力手段（２２）からの入力信号を受信するための入力インタフェース（２０）と、
データ処理手段（２６）と、
を有し、
前記データ処理手段（２６）は、
選択された時刻の複数の又は全てのセンサデータを前記メモリ（１４）から呼出し、表示インタフェース（１８）を用いてそのような表示信号を出力し、
表示装置（２４）を用いて、それぞれの前記センサデータ（１６）を受信した前記風力発電設備（１００）の前記地理的位置に実質的に対応する前記地図（４０）内の実質的な位置に、それぞれの場合に、前記地図（４０）と共に、呼出されたセンサ信号を提示するように構成される、
装置。
【請求項１０】
前記入力インタフェース（２０）により、期間及び／又は時間増分幅を選択可能であり、
前記表示インタフェース（１８）は、前記表示装置（２４）に、そのような表示信号を出力可能であり、選択された期間の間、前記地図（４０）を有するセンサデータを順次にステップ的に提示する、ために用いられ、
２つの提示ステップの間の期間は、選択された前記時間増分幅に対応する、
請求項９記載の装置。
【請求項１１】
前記入力インタフェース（２０）を介して、選択された前記期間の前記センサデータを繰り返し提示するためのリピート機能を選択可能であり、
及び／又は、
前記入力インタフェース（２０）を介して、前記表示インタフェース（１８）からの前記表示信号の制御の下、前記表示装置を用いて提示される地図のセクションが変化可能である、
請求項９又は１０に記載の装置。
【請求項１２】
前記装置は、天気予報データ、特に、風向及び風力のデータ源に接続し、前記天気予報データを受信するためのインタフェースを備え、
前記入力インタフェース（２０）を介して、将来時刻又は期間を選択可能であり、
前記データ処理手段（２６）は、前記天気予報データ及び記憶されたセンサデータに基づいて、選択された将来時刻又は期間の将来センサデータを予測し、前記表示インタフェース（１８）を介して、表示装置（２４）に提示するため、地図と共に、表示信号として出力するように構成される、
請求項９乃至１１のいずれか一に記載の装置。
【請求項１３】
前記データ処理手段は、前記表示装置（２４）に異なる色を用いて、提示されたセンサデータ（１６）が、現在時刻の前であるか、現在時刻の後にあるか、又は現在時刻にあるセンサデータであるかどうかをマークするような方法で、前記表示装置（２４）を制御するために、前記表示インタフェース（１８）を用いて、そのような表示信号を出力するように構成される、
請求項９乃至１２のいずれか一に記載の装置。
【請求項１４】
前記データ処理手段（２６）は、選択された前記時刻の複数のセンサ値から、さらなる値を決定し、前記表示装置（２４）に提示するために、前記表示インタフェース（１８）を用いて、選択された前記時刻又は期間の前記センサデータの前記信号とともに、前記さらなる値を出力するように構成される、
請求項９乃至１３のいずれか一に記載の装置。
【請求項１５】
複数の風力発電設備（１００）、及び／又は、風力発電パーク（１１２）、及び、請求項９〜１４のいずれか一に記載の装置（１２）を有するシステムであって、
前記装置（１２）は、データインタフェース（１０）によって、データ接続を介して風力発電設備（１００）に接続される、
システム。
【手続補正２】
【補正対象書類名】明細書
【補正対象項目名】０００９
【補正方法】変更
【補正の内容】
【０００９】
したがって、複数の風力発電設備からのセンサデータをグラフィカルに提示するための装置及び方法が提供される。
本発明の第１の視点において、
複数の風力発電設備からのセンサデータをグラフィカルに提示する方法が提供される。該方法は、
装置のデータインタフェースを用いて、前記データインタフェースに接続された風力発電設備及び／又は風力発電パークからセンサデータを受信するステップと、
メモリを用いて、前記風力発電設備及び／又は前記風力発電パークから受信したセンサデータを記憶するステップと、
入力インタフェースを介して接続された入力手段を用いて、少なくとも１つの現在時刻又は過去１つの時刻を選択するステップと、
表示装置を用いて地理的地図及びセンサ値を提示する目的で、表示インタフェースを用いて、表示信号を出力するテップと、
データ処理手段を用いて、前記メモリから選択された時刻の複数のセンサデータ又は全てのセンサデータを呼出し、
表示装置を用いるために、前記表示インタフェースを用いて、そのような表示信号を出力し、
それぞれの前記センサデータを受信した（送信元の）前記風力発電設備の前記地理的位置に実質的に対応する前記地図の実質的な位置に、それぞれの場合に、前記地図と共に、呼出されたセンサ信号を提示するステップと、
を含む。
本発明の第２の視点において、
複数の風力発電設備からセンサデータをグラフィカルに提示するための、特に、第１の視点に記載の方法を実施するための装置が提供される。
該装置はデータ接続によって複数の風力発電設備及び／又は風力発電パークに接続し、接続された前記風力発電設備及び／又は風力発電パークからセンサデータ（１６）を受信するためのデータインタフェースと、
前記風力発電設備及び／又は風力発電パークから受信した前記センサデータを記憶するためのメモリと、
表示装置を用いて地理的地図及びセンサ値を提示するための表示信号を出力するための表示インタフェースと、
少なくとも１つの現在時刻又は過去の１つの時刻を選択するための入力手段からの入力信号を受信するための入力インタフェースと、
データ処理手段と、
を有し、
前記データ処理手段は、
選択された時刻の複数の又は全てのセンサデータを
前記メモリから呼出し、表示インタフェースを用いてそのような表示信号を出力し、
表示装置を用いて、それぞれの前記センサデータを受信した前記風力発電設備の前記地理的位置に実質的に対応する前記地図内の実質的な位置に、それぞれの場合に、前記地図と共に、呼出されたセンサ信号を提示するように構成される。
本発明の第３の視点において、
複数の風力発電設備、及び／又は、風力発電パーク、及び、形態９〜１４のいずれか一に記載の装置を有するシステムが提供される。
該システムにおいて、前記装置は、データインタフェースによって、データ接続を介してデータ風力発電設備に接続される。
なお、本願の特許請求の範囲の各請求項に付記した図面参照符号は、専ら説明の理解を助けるためのものであり、図示の形態に限定することを意図するものではない。
【手続補正３】
【補正対象書類名】明細書
【補正対象項目名】００１０
【補正方法】変更
【補正の内容】
【００１０】
この場合、前記方法は、データインタフェースを用いて、センサ値を含むセンサデータを受信するステップを含み、複数の風力発電設備及び／又は風力発電パーク（Windparks）は、データインタフェースに接続される。
本発明において、以下の形態が可能である。
（形態１）第１視点のとおり。
（形態２）
前記入力手段を用いて、期間及び／又は時間増分幅を選択し、
前記表示インタフェースを用いて、前記表示装置を用いるために、そのような表示信号を出力し、選択された期間の間、前記地図を有するセンサデータを継続的にステップ的に提示し、
２つの提示ステップの間の期間は、選択された前記時間増分幅に対応する、
好ましくは形態１記載の方法。
（形態３）
前記入力手段を用いて、リピート機能を選択し、
前記表示インタフェースを用いて、前記表示装置を用いるために、そのような表示信号を出力し、選択された前記期間の前記センサデータを繰り返しステップ的に提示する、
好ましくは形態２に記載の方法。
（形態４）
前記入力手段を用いて、前記期間の終了時刻として、現在時刻、又は、時刻なし、を選択する場合、選択された期間の提示終了に達したときに、前記表示インタフェースを、前記地図に表示するための現在のセンサデータを自動的に出力する、
好ましくは形態２又は３に記載の方法。
（形態５）
前記入力手段を用いて、前記表示装置を用いて提示される地図のセクションを変更する、
好ましくは形態１〜４のいずれか一に記載の方法。
（形態６）
天気予報データ、特に、風向及び風力のデータ源に接続するためのインタフェースを用いて、天気予報データを受信し、
前記入力手段を用いて、将来時刻又は期間を選択し、
選択された将来時刻又は期間の将来センサデータは、前記天気予報データ及び記憶されたセンサデータに基づいて予測されて、前記表示インタフェースを介して、前記表示装置に地図と共に提示するため出力される、
好ましくは形態１〜５のいずれか一に記載の方法。
（形態７）
前記表示インタフェースを用いて、現在時刻の前、現在時刻の後、又は、前記表示装置に提示されている現在時刻であるセンサデータに異なる色を割り当てるために、そのような表示信号を出力する、
好ましくは形態１〜６のいずれか一に記載の方法。
（形態８）
前記データ処理手段を用いて、さらなる値、特に電力、風速及び／又は前記地図セクション内で分配される電力の平均値を、前記選択された時刻又は期間の複数のセンサデータから決定し、前記表示インタフェースを用いて、前記センサ値とともに前記表示装置に表示するために、同じ時刻のセンサ値とともに前記さらなる値を出力する、
好ましくは形態１〜７のいずれか一に記載の方法。
（形態９）
第２の視点のとおり。
（形態１０）
前記入力インタフェースにより、期間及び／又は時間増分幅を選択可能であり、
前記表示インタフェースは、前記表示装置に、そのような表示信号を出力可能であり、選択された期間の間、前記地図を有するセンサデータを順次にステップ的に提示する、ために用いられ、
２つの提示ステップの間の期間は、選択された前記時間増分幅に対応する、
形態９記載の装置。
（形態１１）
前記入力インタフェースを介して、選択された前記期間の前記センサデータを繰り返し提示するためのリピート機能を選択可能であり、
及び／又は、
前記入力インタフェースを介して、前記表示インタフェースからの前記表示信号の制御の下、前記表示装置を用いて提示される地図のセクションが変化可能である、
好ましくは形態９又は１０に記載の装置。
（形態１２）
前記装置は、天気予報データ、特に、風向及び風力のデータ源に接続し、前記天気予報データを受信するためのインタフェースを備え、
前記入力インタフェースを介して、将来時刻又は期間を選択可能であり、
前記データ処理手段は、前記天気予報データ及び記憶されたセンサデータに基づいて、選択された将来時刻又は期間の将来センサデータを予測し、前記表示インタフェースを介して、表示装置に提示するため、地図と共に、表示信号として出力するように構成される、
好ましくは形態９乃至１１のいずれか一に記載の装置。
（形態１３）
前記データ処理手段は、前記表示装置に異なる色を用いて、提示されたセンサデータが、現在時刻の前であるか、現在時刻の後にあるか、又は現在時刻にあるセンサデータであるかどうかをマークするような方法で、前記表示装置を制御するために、前記表示インタフェースを用いて、そのような表示信号を出力するように構成される、
好ましくは形態９乃至１２のいずれか一に記載の装置。
（形態１４）
前記データ処理手段は、選択された前記時刻の複数のセンサ値から、さらなる値、特に、電力、風速、及び／又は、前記地図セクションに分布された電力の平均値を決定し、前記表示装置に提示するために、前記表示インタフェースを用いて、選択された前記時刻又は期間の前記センサデータの前記信号とともに、前記さらなる値を出力するように構成される、
好ましくは形態９乃至１３のいずれか一に記載の装置。
（形態１５）
本発明の第３の視点によるシステムのとおり。
【手続補正４】
【補正対象書類名】図面
【補正対象項目名】図３
【補正方法】変更
【補正の内容】
【図３】
2019502219.tif 000007
【国際調査報告】
2019502219.tif 000008
2019502219.tif 000009
2019502219.tif 000010
2019502219.tif 000011